(57)【要約】【課題】造波装置の造波板に装着する容量式波高計を短時間で簡単に着脱できる取付け構造を提供する。【解決手段】造波板面に装着する容量式波高計１０の容量線１６を張り渡す容量線支持棒１４下部に差込ピン２０を設け、造波板取付け対象側に前記差込ピン２０が嵌合するピン受具２４を設け、造波板１８の水面上露出部に容量式波高計１０との締結固定手段を持つ。また前記造波板１８に容量線支持棒１４が嵌脱自在に保持できる支持棒ガイド３４を備えることができ、容量式波高計１０の着脱を容易にしている。【選択図】    図１
2004191285.tif 000002
【特許請求の範囲】
【請求項１】
容量線を張り渡す支持棒を備えた容量式波高計を造波板に取付けるための構造であって、前記容量線支持棒下部に差込ピンを設け、容量式波高計取付け対象部材側に前記差込ピンが嵌合するピン受具を設け、かつ、容量式波高計頭部側には取付け対象部材の水面上露出部への締結固定手段を設けたことを特徴とする容量式波高計取付け構造。
【請求項２】
前記容量式波高計取付け対象部材には前記容量線支持棒を嵌脱自在に保持可能な支持棒ガイドを備えたことを特徴とする請求項１記載の容量式波高計取付け構造。
【発明の詳細な説明】
【０００１】
【発明の属する技術分野】
本発明は容量線を張り渡す支持棒を備えた容量式波高計を造波板に取付けるための構造に関する。
【０００２】
【従来の技術】
水理模型実験の造波装置において波高測定に使用する容量式波高計は、金属導体に電気絶縁物で被膜を施した容量線を水中に浸して一方の電極とし、支持棒を他方の電極とするコンデンサを形成させ、水面の上下動によって静電容量が変化することを利用して波高値を検出するものである。
【０００３】
図２に従来の容量式波高計の取付け方法を示す。容量式波高計１の上部が水面上に位置するよう造波板３に取付けるため、容量式波高計１の容量線を張り渡す容量線支持棒２の中間部分を取付け対象部材の支持金具４で締結固定している。この支持金具４は一対の受板で容量線支持棒２を挟みねじ止め固定し、ついで取付け対象部材にねじ止め固定している。
【０００４】
この波高計の取付け対象となる箇所は、図３に示す造波装置５の造波板６部分である。特許文献１では実際の海洋に適した３次元波の波を発生する造波装置を提供するものであり、水槽の内壁部に波を発生するために隣接した三角形形状の複数の造波板６が設けられている。この造波板６は水槽内の内壁に複数取付けられ、測定条件に適した深さを持つ水槽内の水面に造波板の上部が突出した状態で取付けられている。
【０００５】
また、このような造波実験において種々の波を人工的に作り出す造波装置の中には、この造波板が水槽内壁部に一面に取付けられ、実際の海洋に倣った波を発生させている。
【０００６】
【特許文献１】
特開２００１−１３３３６０号公報
【０００７】
【発明が解決しようとする課題】
しかしながらこのような複数の造波板が水深のある水槽の内壁に沿って据え付けられた造波装置の場合、容量式波高計１の取付けおよび故障等により、波造板から容量式波高計１を取付けおよび取り外す際には、作業前に水槽内の水を抜いた後、水槽内に人が入って容量式波高計１を一本ずつ取付ける必要があった。このため容量式波高計の交換作業をする際、水槽内の排水及び給水に時間がかかること、また複数のねじ止め交換をしなければならないという作業の効率性に問題があった。
【０００８】
そこで、本発明の目的は、水槽内の水を抜くことなく、短時間で容易に容量式波高計が着脱できる取付け構造とし、造波装置の容量式波高計の交換作業を向上させることに特徴がある。
【０００９】
【課題を解決するための手段】
上記目的を達成するために本発明に係る取付け構造では、容量線を張り渡す支持棒を備えた容量式波高計を造波板に取付けるための構造であって、前記容量線支持棒下部に差込ピンを設け、容量式波高計取付け対象部材側に前記差込ピンが嵌合するピン受具を設け、かつ、容量式波高計頭部側には取付け対象部材の水面上露出部への締結固定手段を設けたことを特徴とする。また前記容量式波高計取付け対象部材には前記容量線支持棒を嵌脱自在に保持可能な支持棒ガイドを備えることができる。
【００１０】
【発明の実施の形態】
本発明に係る着脱容易な容量式波高計の取付け方法の実施形態を添付図面に従って説明する。
図１に容量式波高計取付け構造の実施形態の構成を示す。容量式波高計１０はヘッドアンプ部１２と金属製Ｌ字棒からなる容量線支持棒１４を有し、容量線支持棒１４の底辺部分と前記ヘッドアンプ部１２との間に弓の弦のように張った容量線１６を備えた構成となっている。容量式波高計１０を造波板１８に取付ける対象箇所は、水面の上下動の変化を利用して容量線１６の水への浸漬寸法を検出して波高値を出力するため、ヘッドアンプ部１２が水面上に位置するように配置し、下半部が水面下に位置するように取付けることが望ましい。また、取付けの際には測定値の精度をだすため造波板と平行に取付けること、取付けたあとは振動しないようにしっかりと固定することが望ましい。そして、容量式波高計１０を造波板１８に対して容易に着脱できるようにするためには、水中内での着脱操作ではなく、水面上での着脱操作をできるようにすればよい。そのため、基本的には水中内での取付け部分が単なる抜き差し操作で固定保持できるようにしておき、水面上に位置する部分でネジ止め操作できるようにしておくことで、水槽内部からの着脱作業を無くすことができる。
【００１１】
そこで、本実施形態では、水中下に位置する容量線支持棒１４の下端部に差込ピン２０を設けるとともに、ヘッドアンプ部１２に締結手段で固定できるようにした止板２２を設けておき、一方、取付け対象部材としての造波板１８には、前記差込ピン２０を受けるピン受具２４と、前記止板２２に対面する受板２６を設けた構成となっている。
【００１２】
この差込ピン２０はクサビ形状で、前記Ｌ字棒状の容量線支持棒１４の底辺水平部に装着されるブラケット２８に下向きで取付けられる。また前記差込ピン２０と嵌合し固定する造波板１８側に取付けられたピン受具２４は、Ｌ字形状の金属板で形成され、水平面中央に前記差込ピン２０が嵌合する孔３０を形成し、垂直面を前記造波板１８の板面に取付けている。この差込ピン２０とピン受具２４を嵌め合わせることにより、水中で容量式波高計１０の下部を造波板１８に固定保持させることができ、同時に上部に引き抜くことにより、容易に離脱させることができるものとなっている。
【００１３】
容量式波高計１０の下部をピン嵌合構造として固定保持させるように構成する一方で、水面上に配置するヘッドアンプ部１２を造波板１８にネジ止めするようにしている。このためヘッドアンプ部１２に止板２２を設けている。止板２２は取付け対象の造波板１８と平行となるように溶接などによりヘッドアンプ部１２に設けた板であり、その中心にボルトが貫通する孔を形成している。また造波板１８には、止板２２に対面するように受板２６を造波板１８の上縁部に舌片状に張り出し形成している。そして、舌片状の受板２６には、その中心にボルトが貫通する孔を形成している。前記止板２２と受板２６を締結具としてのボルトナット３２で締結し、容量式波高計１０の頭部を造波板１８に固定できるようにしている。
【００１４】
また、当該実施形態では、容量線支持棒１４の振れ防止のための支持棒ガイド３４を造波板１８に設けている。この支持棒ガイド３４は造波板１８の板面に容量線支持棒１４を嵌入させることができる溝３６を形成したもので、取付け対象の造波板１８の板面に垂直方向に突出して取付けられている。前記支持棒１４の中間部が嵌合するＵ字状の切欠きからなる溝３６は、支持棒ガイド３４の側縁に形成されている。これは造波板１８の動作方向と交差する方向から容量線支持棒１４をはめ込むことで、造波板１８の動きにより溝３６から外れないようにしているのである。したがって、容量式波高計１０の下端部をピン係合させた後、ヘッドアンプ部１２を持って造波板１８の板面に沿って側方移動させて溝３６にはめ込んで容量線支持棒１４を支持させる。これにより、容量線支持棒１４は造波板１８の板面から離反することが防止され、造波板１８の動きに確実に追従するものとなる。この支持棒ガイド３４は適宜間隔をおいて複数設けることにより、容量線支持棒１４が造波板１８の動作中に撓むことを的確に防止できる。なお、この支持棒ガイド３４は造波板の操作中に波を起こさないよう必要以上に大きくならないような形状とすることが望ましい。
【００１５】
以上のことから容量式波高計１０の取付け方法は、まず水面上露出部の造波板１８の上部側から水面下向きに容量式波高計１０を装入し、容量式波高計１０の容量線支持棒１４下部の差込ピン２０を造波板１８側のピン受具２４に嵌合させ、次に容量線支持棒１４を支持棒ガイド３４に嵌合させる。しかる後、容量式波高計１０上部の止板２２と造波板１８側の受板２６とをボルトナット３２で締結固定する。
【００１６】
なお、本発明の実施形態では容量式波高計１０を用いて説明したが、これと同じく水と空気の間の電気伝導度や誘電率の違いを利用して水位を検出する抵抗線式水位計を用いても良い。また、締結手段としてボルトナット３２を用いて説明したが、水上から取付ける際、しっかりと固定でき、また容量線に傷をつけにくい構造であれば、これに限定されるものではなく、他の締結手段、例えばクリップ等でも適用できる。
【００１７】
【発明の効果】
以上のように、本発明によれば容量線を張り渡す支持棒を備えた容量式波高計を造波装置の造波板に取付ける際、装置内の水を入れ替えることなく、造波板の上部側から容量式波高計の差込ピンを造波板取付け対象のピン受具に嵌合し、支持棒部分を支持棒ガイドに嵌合し、容量式波高計上部の止板と造波板側の受板に締結手段で固定することで、短時間で容易に取付けおよび交換ができる。
【図面の簡単な説明】
【図１】実施形態に係る容量式波高計取付け構造の構成図である。
【図２】実施形態に係る容量式波高計取付け構造の従来法の説明図である。
【図３】取付け対象となる造波装置を示す図である。
【符号の説明】
１０………容量式波高計、１２………ヘッドアンプ部、１４………容量線支持棒、１６………容量線、１８………造波板、２０………差込ピン、２２………止板、２４………ピン受具、２６………受板、２８………ブラケット、３０………孔、３２………………ボルトナット、３４………支持棒ガイド、３６………溝。
【図１】
2004191285.tif 000003
【図２】
2004191285.tif 000004
【図３】
2004191285.tif 000005